(57)【要約】【課題】いつでも好きなときに必要な量だけ補充することができるとともに、パウダーを補充する際の操作性も良く、また使用状態での使い勝手も良好なパウダー容器を提供する。【解決手段】パウダーＰを収納する容器本体８の開口部９に、パウダーを取り出す小孔２０を有する中皿１０が設けられたパウダー容器１において、中皿に形成され、パウダーを補充するための補充用開口１６と、中皿に回動自在に一体的に形成され、補充用開口に中皿の表面と面一に嵌脱自在に嵌合されて当該補充用開口を開閉可能に閉じる内蓋１７と、中皿に弾性変形自在に一体的に形成され、押圧操作により弾性変形されて補充用開口と内蓋との間に当該内蓋の離脱操作を可能とする隙間を形成する操作片２４とを備えた。操作片が中皿の表面と面一に形成されている。【選択図】          図１
2004180874.tif 000002
【特許請求の範囲】
【請求項１】
パウダーを収納する容器本体の開口部に、パウダーを取り出す小孔を有する中皿が設けられたパウダー容器において、
上記中皿に形成され、パウダーを補充するための補充用開口と、上記中皿に回動自在に一体的に形成され、上記補充用開口に該中皿の表面と面一に嵌脱自在に嵌合されて当該補充用開口を開閉可能に閉じる内蓋と、上記中皿に弾性変形自在に一体的に形成され、押圧操作により弾性変形されて該中皿と上記内蓋との間に当該内蓋の離脱操作を可能とする隙間を形成する操作片とを備えたことを特徴とするパウダー容器。
【請求項２】
前記操作片が前記中皿の表面と面一に形成されていることを特徴とする請求項１に記載のパウダー容器。
【発明の詳細な説明】
【０００１】
【発明の属する技術分野】
本発明は、いつでも好きなときに必要な量だけ補充することができるとともに、パウダーを補充する際の操作性も良く、また使用状態での使い勝手も良好なパウダー容器に関する。
【０００２】
【従来の技術】
一般に、この種のパウダー容器は、パウダーを収納する容器本体の開口部に、パウダーを取り出すための小穴を有する穴あき中皿を取り外し可能に嵌合し、パフを穴あき中皿に押し付けた状態で容器本体を傾けるなどして、小穴からこぼれ出るパウダーをパフに付着させるようにしている。
【０００３】
このようなパウダー容器において、従来にあっては、パウダーの補充操作の利便性を考慮して、剥離可能なシートで密封される廃棄可能な簡易な容器に補充用のパウダーを詰めてこれをレフィルとし、シートを剥がしたレフィルを、穴あき中皿を取り外した容器本体内に収納して、再度穴あき中皿を取り付けるようにし、このレフィルの交換操作によってパウダーの補充を行うようにしたものが知られている（例えば、特許文献１参照）。
【０００４】
【特許文献１】
特開２０００−１２５９２８号公報
【０００５】
【発明が解決しようとする課題】
ところで、上記従来のパウダー容器にあっては、レフィルの交換操作によってパウダーを補充する必要があり、いつでも好きなときに必要な量だけ補充することはできず、その結果、パウダー容器としての使い勝手があまり良くないという課題があった。
【０００６】
具体的に説明すると、レフィルの交換によってパウダーを補充するようにしているため、パウダーがまだあるうちに途中でレフィルを交換することは無駄になることから、通常は中身のパウダーを使い切るまではレフィルを交換することがない。パウダーを最後まで使い切ろうとすると、中身が少なくなってくるに伴って、容器本体を斜めに傾けた程度では必要量のパウダーをパフに付着させることはできず、容器本体を逆さまにしたり、さらには容器本体を振るなどしなければならなくなって、使用状態ではかえって不便な面が見受けられるという問題があった。
【０００７】
また、上記従来のパウダー容器では、容器本体の開口部とこれに装着される穴あき中皿との間からパウダーが漏れ出て、パウダー容器の外回りが汚損されることを懸念して、取り外し可能であるとはいえ、穴あき中皿を開口部にきつく嵌合させてパウダー漏れが生じないようにしており、このために穴あき中皿を容器本体から取り外すことが困難で、パウダーの補充操作がたいへんであるという課題もあった。
【０００８】
本発明は上記従来の課題に鑑みて創案されたものであって、いつでも好きなときに必要な量だけ補充することができるとともに、パウダーを補充する際の操作性も良く、また使用状態での使い勝手も良好なパウダー容器を提供することを目的とする。
【０００９】
【課題を解決するための手段】
本発明にかかるパウダー容器は、パウダーを収納する容器本体の開口部に、パウダーを取り出す小孔を有する中皿が設けられたパウダー容器において、上記中皿に形成され、パウダーを補充するための補充用開口と、上記中皿に回動自在に一体的に形成され、上記補充用開口に該中皿の表面と面一に嵌脱自在に嵌合されて当該補充用開口を開閉可能に閉じる内蓋と、上記中皿に弾性変形自在に一体的に形成され、押圧操作により弾性変形されて該中皿と上記内蓋との間に当該内蓋の離脱操作を可能とする隙間を形成する操作片とを備えたことを特徴とする。
【００１０】
内蓋を補充用開口から離脱させて開くことにより、パウダーをいつでも好きなときに必要な量だけ補充することが可能になる。特にこの際、中皿を容器本体の開口部から取り外すことなくパウダーを補充できて、その操作性に優れるとともに、中皿を開口部にきつく装着したままの状態に維持できるので、パウダー漏れも確実に防止し得る。
【００１１】
そしてまた、いつでもパウダーを補充できることから、レフィルを用いた場合のように、中身を使い切るような使用を余儀なくされることはなく、適度な量のパウダーを補充しておくことで、必要な量のパウダーを容易にパフなどの化粧具に付着させることができ、良好な使い勝手を保証することができる。
【００１２】
また、前記操作片が前記中皿の表面と面一に形成されていることを特徴とする。これにより、小孔から取り出されるパウダーを、パフなどの化粧具にムラなくしっかりと付着させることが可能になる。
【００１３】
【発明の実施の形態】
以下に、本発明にかかるパウダー容器の好適な一実施形態を、添付図面を参照して詳細に説明する。本実施形態にかかるパウダー容器１は図１〜図５に示すように、蓋体２が螺合されるネジ部３が外周面４上部に形成されるとともに、底板５上に内周面６で取り囲んだ収納空間７内にパウダーＰを収納する容器本体８と、この容器本体８の上端内周縁で区画される開口部９に設けられる合成樹脂製の中皿１０とから主に構成される。図示例にあっては、容器本体８および中皿１０はともに、平面外形輪郭が円形状に形成されている。
【００１４】
中皿１０は、底部１１と、この底部１１外周縁に一体的に上方へ立ち上げて形成された周壁部１２と、この周壁部１２の上端にその周方向に沿って外方へ張り出して一体的に形成され、蓋体２に設けられたパッキン１３と液密に当接されるフランジ部１４とから構成され、底部１１と周壁部１２とで取り囲まれた内部に、パフなどの化粧具Ｔを収納するとともに、パウダーＰを取り出し操作するための凹部１５が形成される。
【００１５】
中皿１０は、フランジ部１４が容器本体８の上端に係止された状態で、周壁部１２が容器本体８の内周面６に圧接されることにより、容器本体８の開口部９に上方へ向かって離脱可能に嵌合される。特に、中皿１０と開口部９との間からパウダーＰが漏れ出ることを阻止するために、周壁部１２と内周面６とはきつく圧接される。
【００１６】
この中皿１０の底部１１には、その中央に位置させて形成されたほぼ円環状スリット１８により、パウダーＰを補充すべく収納空間７を外部に開放する円形状の補充用開口１６が形成されるとともに、これに併せて補充用開口１６を開閉自在に閉じる内蓋１７が形成され、これにより内蓋１７は補充用開口１６に対して中皿１０の底部１１表面と面一に嵌脱自在に嵌合される。内蓋１７は、補充用開口１６に沿う円板部１７ａとこれより外方へ突出させて形成されたアーム部１７ｂとから構成される。アーム部１７ｂは、補充用開口１６から互いに並行に中皿１０の周壁部１２へ向かって形成された一対の直線状スリット１９間に形成される。特に内蓋１７は、中皿１０の底部１１表面と面一とされることにより、凹部１５を平坦化ないしは平滑化するようになっている。内蓋１７の円板部１７ａにはこれを貫通させて、収納空間７内のパウダーＰを凹部１５内に取り出すための小孔２０が多数形成される。
【００１７】
内蓋１７のアーム部１７ｂは、円板部１７ａに一端が一体的に結合されるとともに、他端が中皿１０とヒンジ２１を介して折り曲げ自在に一体的に連結される。ヒンジ２１は本実施形態にあっては、アーム部１７ｂと中皿１０との間に収納空間７に向けて形成された下向きのＶ字状溝で構成され、Ｖ字状溝を広げるように折り曲げることで、中皿１０上に内蓋１７が起立されるようになっている。これにより、内蓋１７はそのアーム部１７ｂを介して中皿１０に回動自在に一体的に形成される。
【００１８】
さらに図４に示すように、補充用開口１６の内周縁には、下方へ向かうにつれて補充用開口１６内方へ次第に迫り出す上向きテーパ面２２が形成されるとともに、円板部１７ａの外周縁には、上向きテーパー面２２と向かい合ってこれに係止される下向きテーパー面２３が形成され、これらテーパ面２２，２３により、内蓋１７で補充用開口１６を閉じた際、内蓋１７が補充用開口１６下に落とし込まれないようになっている。
【００１９】
さらに中皿１０にはこれと一体的に、中皿１０の底部１１と内蓋１７との間に内蓋１７の離脱操作を可能とする隙間Ｇを形成する操作片２４が形成される。中皿１０の底部１１には、アーム部１７ｂとは反対側に位置させて、補充用開口１６から互いに並行に周壁部１２へ向かって一対の切り込み２５が形成され、操作片２４はこれら切り込み２５間に、中皿１０の底部１１と面一に、かつ弾性変形可能なカンチレバー状に形成される。この操作片２４は、中皿１０と、補充用開口１６に中皿１０の底部１１表面と面一に嵌合されて手がかりのない内蓋１７との間において、内蓋１７周りに中皿１０との間で、底部１１の表面側から押し込み操作されることにより収納空間７側へ向かって弾性変形されて、隙間Ｇを形成するようになっている。
【００２０】
この操作片２４は、中皿１０の底部１１表面と面一に形成されることにより、内蓋１７と同様に中皿１０の底部１１を平坦化ないしは平滑化するようになっている。また内蓋１７にはこれより外方へ突出させて、当該内蓋１７が不用意に開かれることを阻止すべく、操作片２４の先端に収納空間７側から係止される係止突起２６が形成される。
【００２１】
次に、本実施形態のパウダー容器１の作用について説明する。パウダーＰをパフなどの化粧具Ｔに付着させる際には、従来と同様に、化粧具Ｔを小孔２０に押し付けた状態で容器本体８を傾けるなどして、小孔２０から凹部１５へとこぼれ出るパウダーＰを化粧具Ｔに付着させる。使用により量が少なくなってきたときに容器本体８内の収納空間７にパウダーＰを補充する際には、内蓋１７を開いて補充用開口１６を開放する。
【００２２】
すなわち図４にも示したように、操作片２４を操作してこれを係止突起２６下に押し下げれば、中皿１０の底部１１表面と面一状態で補充用開口１６に嵌合されている内蓋１７と当該中皿１０との間に隙間Ｇを形成することができて、この隙間Ｇから内蓋１７に指などを掛けて持ち上げれば補充用開口１６から離脱させることができ、そのまま内蓋１７を引き上げていくと、図５に示したようにヒンジ２１を介してアーム部１７ｂが立ち上がって内蓋１７を開くことができる。これにより、補充用開口１６は大きく開放され、この開放された補充用開口１６から収納空間７内にパウダーＰを補充することができる。
【００２３】
また、一旦開いた内蓋１７が閉じようとすると、弾性変形自在な操作片２４が復原していて内蓋１７の係止突起２６に当接するので、閉じてくる内蓋１７をわずかながら補充用開口１６上方で制止させてその離脱状態を維持させることができ、容易に内蓋１７を再度開くことができる。
【００２４】
他方、補充用開口１６を閉じる場合には、内蓋１７を補充用開口１６に向かって押し込めば、内蓋１７は、その係止突起２６が補充用開口１６の上向きテーパ面２２を乗り越えた後、その下向きテーパ面２３が上向きテーパ面２２に係止され、これにより内蓋１７は、補充用開口１６下に落とし込まれることなく、中皿１０の底部１１表面と面一な状態で補充用開口１６に嵌合されて封止するようになっている。なお、必要に応じて容器本体８の開口部９を開放する場合には、中皿１０をそのまま上方に引き上げて開口部９から離脱させればよい。
【００２５】
以上説明したように、本実施形態にかかるパウダー容器１は、中皿１０に補充用開口１６を形成するとともに、これを中皿１０に一体的に形成した内蓋１７で開閉するようにしたので、中皿１０を開口部９から取り外す必要なく、パウダーＰをいつでも好きなときに必要な量だけ補充することができる。特にこの際、中皿１０を容器本体８の開口部９から取り外すことなくパウダーＰを補充できて、その操作性に優れるとともに、中皿１０を開口部９にきつく装着したままの状態に維持できるので、パウダー漏れも確実に防止することができる。
【００２６】
そしてまた、いつでもパウダーＰを補充できることから、レフィルを用いた場合のように中身を使い切るような使用を余儀なくされることはなく、適度な量のパウダーＰを補充しておくことで、必要な量のパウダーＰを容易にパフなどの化粧具Ｔに付着させることができ、使い勝手にも優れる。
【００２７】
また、スリット１８，１９や切り込み２５によって、中皿１０に補充用開口１６のみならず、内蓋１７や操作片２４をも一体的に形成するようにしたので、部品点数も、そしてまた組立工数も少なくてすみ、低コストであるとともに生産性が高い。
【００２８】
また、内蓋１７および操作片２４をスリット１８，１９や切り込み２４によって中皿１０の底部１１表面と面一に形成したので、小孔２０から取り出されるパウダーＰを、パフなどの化粧具Ｔにムラなくしっかりと付着させることができる。すなわち、内蓋１７や操作片２４を凹部１５内にそのまま配置すると、化粧具Ｔがこれら内蓋１７や操作片２４に引っ掛かって、パウダーＰを付着させる操作が妨げられたり、これら内蓋１７の周りや操作片２４にパウダーＰがおびただしく付着して、見た目が悪くなるおそれがある。これに対し本実施形態にあっては、凹部１５を区画する中皿１０の底部１１表面に内蓋１７や操作片２４を面一に形成したことにより、上記不具合を防止することができる。
【００２９】
【発明の効果】
以上要するに、本発明にかかるパウダー容器にあっては、内蓋を補充用開口から離脱させて開くことにより、パウダーをいつでも好きなときに必要な量だけ補充することができる。特にこの際、中皿を容器本体の開口部から取り外すことなくパウダーを補充できて、その操作性に優れるとともに、中皿を開口部にきつく装着したままの状態に維持できるので、パウダー漏れも確実に防止することができる。そしてまた、いつでもパウダーを補充できることから、レフィルを用いた場合のように、中身を使い切るような使用を余儀なくされることはなく、適度な量のパウダーを補充しておくことで、必要な量のパウダーを容易にパフなどの化粧具に付着させることができ、良好な使い勝手を保証することができる。
【図面の簡単な説明】
【図１】本発明にかかるパウダー容器の好適な一実施形態を示す一部破断斜視図である。
【図２】図１に示したパウダー容器の側断面図である。
【図３】図１に示したパウダー容器の平面図である。
【図４】図１のパウダー容器の内蓋を開くときの操作片の動きを示す説明図である。
【図５】図１のパウダー容器の内蓋を開いた状態を示す平面図である。
【符号の説明】
１  パウダー容器                    ８  容器本体
９  開口部                          １０  中皿
１６  補充用開口                    １７  内蓋
２０  小孔                          ２４  操作片
Ｇ  隙間                            Ｐ  パウダー
【図１】
2004180874.tif 000003
【図２】
2004180874.tif 000004
【図３】
2004180874.tif 000005
【図４】
2004180874.tif 000006
【図５】
2004180874.tif 000007